(57)【特許請求の範囲】
【請求項１】
カード基材と、このカード基材に設けられた情報記録部と、前記カード基材に設けられた複数の光導波路と、を備え、
情報記録部は所定ビット数の記録容量を有する複数の単位磁気部を有する磁気ストライプ部からなり、
光導波路は前記単位磁気部に対応する位置に配置されており、
カード基材のうち磁気ストライプ部の単位磁気部に対応する部分に、単位磁気部および光導波路を貫通する貫通孔が形成されていることを特徴とする磁気カード。
【請求項２】
カード基材と、このカード基材に設けられた情報記録部と、前記カード基材に設けられた複数の光導波路と、を備え、
情報記録部は所定ビット数の記録容量を有する複数の単位磁気部を有する磁気ストライプ部からなり、
光導波路は前記単位磁気部に対応する位置に配置されており、
カード基材のうち磁気ストライプ部の単位磁気部に対応する部分に、単位磁気部および光導波路を圧縮変形する溝部が形成されていることを特徴とする磁気カード。
【請求項３】
カード基材と、このカード基材に設けられた情報記録部と、前記カード基材に設けられた複数の光導波路と、を備えた情報記録カードの使用方法において、
情報記録部に記録された記録情報を読取装置により読み取る工程と、
投光器から光ビームを光導波路に入射させ、この光ビームを受光器で受光して光情報を読み取る工程と、
読み取った記録情報および光情報をマッチングする工程と、
情報記録部に新たな記録情報を書込装置により書き替えるとともに、書き替えられた記録情報に対応する光導波路を破損させる工程と、
を備えたことを特徴とする情報記録カードの使用方法。
【請求項４】
光導波路を破損させる工程は、光導波路をカード基材とともに貫通させることからなることを特徴とする請求項３記載の情報記録カードの使用方法。
【請求項５】
光導波路を破損させる工程は、光導波路をカード基材とともに圧縮変形することからなることを特徴とする請求項３記載の情報記録カードの使用方法。
【請求項６】
カード基材と、このカード基材に設けられた情報記録部と、前記カード基材に設けられた複数の光導波路と、を備えた情報記録カードの使用方法において、
複数の光導波路に最高使用額決定領域を定めるとともに、最高使用額決定領域の光導波路を破損させて最高使用額を定める工程と、
情報記録部に記録された記録情報を読取装置により読み取る工程と、
投光器から光ビームを光導波路に入射させ、この光ビームを受光器で受光して光情報を読み取る工程と、
読み取った記録情報が、最高使用額決定領域からの光情報が示す最高使用額を越えたか否か判定する工程と、備えたことを特徴とする情報記録カードの使用方法。
【請求項７】
複数の光導波路に更にデータ領域を定めるとともに、読取装置により読み取った記録情報を、データ領域からの光情報とマッチングする工程を更に備えたことを特徴とする請求項６記載の情報記録カードの使用方法。
【請求項８】
カード基材と、このカード基材に設けられた情報記録部と、前記カード基材に設けられた複数の光導波路と、を備え、
情報記録部は所定ビット数の記録容量を有する複数の単位磁気部を有する磁気ストライプ部からなり、
光導波路は前記単位磁気部に対応する位置に配置された記録カードの使用方法において、
磁気ストライプ部の単位磁気部に記録された記録情報を読取装置により読み取るとともに、投光器から光ビームを単位磁気部毎に設けられた光導波路に入射させこの光ビームを受光器で受光して光情報を読み取る工程と、
読み取った光情報から記録情報が記録された単位磁気部を特定するとともに、特定された単位磁気部の記録情報を最新記録情報として定める工程と、
を備えたことを特徴とする情報記録カードの使用方法。
【請求項９】
磁気ストライプ部の単位磁気部のうち新たな記録情報に対応する単位磁気部に新たな記録情報を書込装置により書き替えるとともに、書き替えられた単位磁気部より所定個数離れた単位磁気部の光導波路を破損させる工程、を更に備えたことを特徴とする請求項８記載の磁気カードの使用方法。
【請求項１０】
光導波路を破損させる工程は、光導波路をカード基材とともに貫通させることからなることを特徴とする請求項９記載の情報記録カードの使用方法。
【請求項１１】
光導波路を破損させる工程は、光導波路をカード基材とともに圧縮変形させることからなることを特徴とする請求項９記載の情報記録カードの使用方法。
【請求項１２】
カード基材と、このカード基材に設けられた情報記録部と、前記カード基材に設けられた複数の光導波路と、を備え、
情報記録部は所定ビット数の記録容量を有する複数の単位磁気部を有する磁気ストライプ部からなり、
光導波路は前記単位磁気部に対応する位置に配置された情報記録カードの使用方法において、
複数の光導波路に最高使用額決定領域を定めるとともに、最高使用額決定領域の光導波路を破損させて最高使用額を定める工程と、
磁気ストライプ部の単位磁気部に記録された記録情報を読取装置により読み取るとともに、投光器から光ビームを光導波路に入射させこの光ビームを受光器で受光して光情報を読み取る工程と、
読み取った記録情報が、最高使用額決定領域からの光情報が示す最高使用額を越えたか否か判定する工程と、備えたことを特徴とする情報記録カードの使用方法。
【請求項１３】
カード基材と、このカード基材に設けられた情報記録部と、前記カード基材に設けられた複数の光導波路と、を備え、
情報記録部は所定ビット数の記録容量を有する複数の単位磁気部を有する磁気ストライプ部からなり、
光導波路は前記単位磁気部に対応する位置に配置された情報記録カードの使用方法において、
複数の光導波路を最高使用額決定領域とデータ領域とに区画するとともに、最高使用額決定領域の光導波路を破損させて最高使用額を定める工程と、
磁気ストライプ部の単位磁気部に記録された記録情報を読取装置により読み取るとともに、投光器から光ビームを光導波路に入射させ、この光ビームを受光器で受光して光情報を読み取る工程と、
データ領域からの光情報に基づいて記録情報が記録された単位磁気部を特定するとともに、特定された単位磁気部の記録情報を最新記録情報として定める工程と、
この最新記録情報が最高使用額決定領域からの光情報が示す最高使用額を越えたか否かを判定する工程と、
を備えたことを特徴とする情報記録カードの使用方法。
【請求項１４】
磁気ストライプ部の単位磁気部のうち新たな記録情報に対応する単位磁気部に新たな記録情報を書込装置により書き替えるとともに、書き替えられた単位磁気部より所定個数離れた単位磁気部の光導波路を破損させる工程、を更に備えたことを特徴とする請求項１３記載の磁気カードの使用方法。
【請求項１５】
カード基材と、このカード基材に設けられた情報記録部と、前記カード基材に設けられ、少なくとも最高使用額決定領域を有する複数の光導波路とを備えた情報記録カードの読取システムにおいて、
最高使用額決定領域の光導波路に光ビームを入射する投光器と、
光ビームを受光して最高使用額からの光情報を読み取る受光器と、
情報記録部に記録された記録情報を読み取る読取装置と、
前記投光器、前記受光器および前記読取装置に接続された制御装置とを備え、
前記制御装置は単位最高使用額が記憶されたＲＯＭと、受光器からの光情報とＲＯＭからの単位最高使用額に基づいて最高使用額を求める最高使用額演算部と、最高使用額演算部と読取装置からの記録情報を比較する比較部とを有することを特徴とする情報記録カードの読取システム。
【発明の詳細な説明】
【０００１】
【発明の属する技術分野】
本発明はカード、情報記録カードおよびそれらの使用方法に関する。
【０００２】
【従来の技術】
従来から情報記録カードとして矩形状のカード基材と、このカード基材上に印刷等により設けられた磁気ストライプ部とを備えた磁気カードが知られており、このような磁気カードはテレホンカード、パチンコカードその他のプリペイドカードとして用いられている。
【０００３】
磁気カードの使用にあたっては、磁気カードの磁気ストライプ部に記録された磁気情報が読取ヘッドによって読み取られ、通話をしたりパチンコ玉を取り出したりすることができる。磁気カードは、使用される毎に磁気ストライプ部に対して書込ヘッドにより書き替えが行なわれ、書き替えと同時に書き替え情報に対応してカード基材に対してパンチ孔が設けられる。このパンチ孔は、磁気ストライプ部からの磁気情報と照合するためのものである。
【０００４】
【発明が解決しようとする課題】
ところで、近年、上述した磁気カードについて改ざんする、不正使用が頻繁に生じている。このような不正使用は、例えば磁気カードの磁気ストライプ部を都合良く書き替えるとともに、カード基材のパンチ孔を埋めてしまうことにより行なわれている。しかしながら、現在のところこのような不正使用に対して有効な対応策が見い出されていないのが実情である。また磁気カードの他に、情報記録カードとしてカード基材にＩＣモジュールを埋め込んでなるＩＣカードが知られているが、このＩＣカードについても磁気カードと同様の不正使用が予想される。
【０００５】
本発明はこのような点を考慮してなされたものであり磁気カードおよびＩＣカード等の情報記録カードの改ざんおよび不正使用を効果的に防止することができるカード、情報記録カードおよびそれらの使用方法を提供することを目的とする。
【０００６】
【課題を解決するための手段】
本発明は、カード基材と、このカード基材に設けられた情報記録部と、前記カード基材に設けられた複数の光導波路と、を備え、情報記録部は所定ビット数の記録容量を有する複数の単位磁気部を有する磁気ストライプ部からなり、光導波路は前記単位磁気部に対応する位置に配置されており、カード基材のうち磁気ストライプ部の単位磁気部に対応する部分に、単位磁気部および光導波路を貫通する貫通孔が形成されていることを特徴とする磁気カードである。
【０００７】
本発明は、カード基材と、このカード基材に設けられた情報記録部と、前記カード基材に設けられた複数の光導波路と、を備え、情報記録部は所定ビット数の記録容量を有する複数の単位磁気部を有する磁気ストライプ部からなり、光導波路は前記単位磁気部に対応する位置に配置されており、カード基材のうち磁気ストライプ部の単位磁気部に対応する部分に、単位磁気部および光導波路を圧縮変形する溝部が形成されていることを特徴とする磁気カードである。
【０００８】
本発明は、カード基材と、このカード基材に設けられた情報記録部と、前記カード基材に設けられた複数の光導波路と、を備えた情報記録カードの使用方法において、情報記録部に記録された記録情報を読取装置により読み取る工程と、投光器から光ビームを光導波路に入射させ、この光ビームを受光器で受光して光情報を読み取る工程と、読み取った記録情報および光情報をマッチングする工程と、情報記録部に新たな記録情報を書込装置により書き替えるとともに、書き替えられた記録情報に対応する光導波路を破損させる工程と、を備えたことを特徴とする情報記録カードの使用方法である。
【０００９】
本発明は、カード基材と、このカード基材に設けられた情報記録部と、前記カード基材に設けられた複数の光導波路と、を備えた情報記録カードの使用方法において、複数の光導波路に最高使用額決定領域を定めるとともに、最高使用額決定領域の光導波路を破損させて最高使用額を定める工程と、情報記録部に記録された記録情報を読取装置により読み取る工程と、投光器から光ビームを光導波路に入射させ、この光ビームを受光器で受光して光情報を読み取る工程と、読み取った記録情報が、最高使用額決定領域からの光情報が示す最高使用額を越えたか否か判定する工程と、備えたことを特徴とする情報記録カードの使用方法である。
【００１０】
本発明は、カード基材と、このカード基材に設けられた情報記録部と、前記カード基材に設けられた複数の光導波路と、を備え、情報記録部は所定ビット数の記録容量を有する複数の単位磁気部を有する磁気ストライプ部からなり、光導波路は前記単位磁気部に対応する位置に配置された記録カードの使用方法において、磁気ストライプ部の単位磁気部に記録された記録情報を読取装置により読み取るとともに、投光器から光ビームを単位磁気部毎に設けられた光導波路に入射させこの光ビームを受光器で受光して光情報を読み取る工程と、読み取った光情報から記録情報が記録された単位磁気部を特定するとともに、特定された単位磁気部の記録情報を最新記録情報として定める工程と、を備えたことを特徴とする情報記録カードの使用方法である。
【００１１】
本発明は、カード基材と、このカード基材に設けられた情報記録部と、前記カード基材に設けられた複数の光導波路と、を備え、情報記録部は所定ビット数の記録容量を有する複数の単位磁気部を有する磁気ストライプ部からなり、光導波路は前記単位磁気部に対応する位置に配置された情報記録カードの使用方法において、複数の光導波路に最高使用額決定領域を定めるとともに、最高使用額決定領域の光導波路を破損させて最高使用額を定める工程と、磁気ストライプ部の単位磁気部に記録された記録情報を読取装置により読み取るとともに、投光器から光ビームを光導波路に入射させこの光ビームを受光器で受光して光情報を読み取る工程と、読み取った記録情報が、最高使用額決定領域からの光情報が示す最高使用額を越えたか否か判定する工程と、備えたことを特徴とする情報記録カードの使用方法である。
【００１２】
本発明は、カード基材と、このカード基材に設けられた情報記録部と、前記カード基材に設けられた複数の光導波路と、を備え、情報記録部は所定ビット数の記録容量を有する複数の単位磁気部を有する磁気ストライプ部からなり、光導波路は前記単位磁気部に対応する位置に配置された情報記録カードの使用方法において、複数の光導波路を最高使用額決定領域とデータ領域とに区画するとともに、最高使用額決定領域の光導波路を破損させて最高使用額を定める工程と、磁気ストライプ部の単位磁気部に記録された記録情報を読取装置により読み取るとともに、投光器から光ビームを光導波路に入射させ、この光ビームを受光器で受光して光情報を読み取る工程と、データ領域からの光情報に基づいて記録情報が記録された単位磁気部を特定するとともに、特定された単位磁気部の記録情報を最新記録情報として定める工程と、この最新記録情報が最高使用額決定領域からの光情報が示す最高使用額を越えたか否かを判定する工程と、を備えたことを特徴とする情報記録カードの使用方法である。
【００１３】
本発明は、カード基材と、このカード基材に設けられた情報記録部と、前記カード基材に設けられ、少なくとも最高使用額決定領域を有する複数の光導波路とを備えた情報記録カードの読取システムにおいて、最高使用額決定領域の光導波路に光ビームを入射する投光器と、光ビームを受光して最高使用額からの光情報を読み取る受光器と、情報記録部に記録された記録情報を読み取る読取装置と、前記投光器、前記受光器および前記読取装置に接続された制御装置とを備え、前記制御装置は単位最高使用額が記憶されたＲＯＭと、受光器からの光情報とＲＯＭからの単位最高使用額に基づいて最高使用額を求める最高使用額演算部と、最高使用額演算部と読取装置からの記録情報を比較する比較部とを有することを特徴とする情報記録カードの読取システムである。
【００１８】
本発明によれば、磁気カードおよびカードの改ざん、不正使用を効果的に防止することができる。
【００１９】
【発明の実施の形態】
第１の実施の形態
以下、図面を参照して本発明の実施の形態について説明する。図１乃至図６は本発明の第１の実施の形態を示す図である。本発明による情報記録カードは磁気カードまたはＩＣカードからなっている。このうちまず磁気カードについて説明する。
【００２０】
図１乃至図３に示すように、磁気カード１０は対向する一対のプラスチック製基板１１ａ，１１ｂ（図３参照）からなる矩形状のカード基材１１と、カード基材１１上に印刷により設けられるとともにカード基材１１の長手方向に延びる情報記録部としての磁気ストライプ部１２と、一対の基板１１ａ，１１ｂ間に挟持された複数の光導波路としての光ファイバ１５とを備えている。なお、カード基材１１上の全面に、磁気ストライプ部１２を覆う着色保護膜１８を設けてもよい。
【００２１】
また、矩形状のカード基材１１は、一対の基板１１ａ，１１ｂを真空状態で重ね合せて構成され、その４辺が接着されて周縁部１４を形成している。
また、磁気ストライプ部１２は、図２に示すように所定ビット数の記録容量を有する単位磁気部１２ａを複数配置してなり、各単位磁気部１２ａ間には隙間１２ｂが形成されている。
【００２２】
ここで磁気カード１０をパチンコカードとして用いる場合における磁気ストライプ部１２の構造について述べる。例えばパチンコカードとしての磁気カードが５０，０００円カードの場合、１００円を１単位とすると、５０，０００円は５００単位として表わされる。
【００２３】
この５００単位をビット換算すると、図６（ａ）に示すように、２５６（９ビット）＜５００＜５１２（１０ビット）となるので、各単位磁気部１２ａが９ビットの記録容量を有すれば、各単位磁気部１２ａにおいて５００単位の記録が可能となる。
【００２４】
ここで、ビット数と記録可能な単位数について、図６（ｂ）により説明する。図６（ｂ）は３ビットの場合におけるビットの組み合せを示しており、３ビットによって０−７までの数値の記録が可能となっている。
【００２５】
本実施例においては、各単位磁気部１２ａに９ビットの磁気情報を書込むために、磁気情報の初めと終りを示すスタートビットとストップビットを各々１つずつ設ける必要があり、このため各単位磁気部１２ａは１１ビットの記録容量を有している。また各単位磁気部１２ａは１単位毎に設けられており、このため磁気ストライプ部１２の単位磁気部１２ａは合計５００個設けられている。
【００２６】
次に光ファイバ１５について述べる。図２に示すように、光ファイバ１５は５００個の単位磁気部１２ａ毎に１個ずつ、すなわち合計５００本設けられ、各光ファイバ１５は磁気ストライプ部１２に直交するとともに単位磁気部１２ａの略中央部を通過している。また各光ファイバ１５は、その両端部１５ａ，１５ｂがカード基材１１の周縁部１４によって固着されているが、両端部１５ａ，１５ｂ以外の部分１５ｃはカード基材１１を構成する一対の基板１１ａ，１１ｂに挟持されているだけであり固着されていない。従って、例えばカード基材１１のうち周縁部１４の内側の部分を打抜いた場合、カード基材１１は基板１１ａ，１１ｂ毎に分離し、基板１１ａ，１１ｂ間の光ファイバ１５も基板１１ａ，１１ｂから分離する。
【００２７】
また図２に示すように、各光ファイバ１５のうちカード基材１１の周縁部１４に固着された両端部１５ａ，１５ｂは、隣り同志一定の間隔で配置されているが、両端部１５ａ，１５ｂ以外の部分１５ｃは曲線状にだ行している。このためカード基材１１の単位磁気部１２ａを含む特定部分を打抜き、打抜いた部分に光ファイバ１５を含むカード基材１１の嵌込部材を嵌込んだとしても、光ファイバ１５の接続は容易ではない。
【００２８】
なお、各光ファイバ１５は０．３ｍｍの直径を有し、その両端部１５ａ，１５ｂの端面は、カード基材１１から外方へ露出するとともに、光の入射および出光がスムースに行なわれるよう鏡面仕上げされている。さらにまた、カード基材１１上の磁気ストライプ部１２の側方に、１００単位毎の単位磁気部１２ａに対応して、例えば「０」、「１００」、「２００」、「３００」、「４００」、「５００」等の表示が施され、現在の使用状況を目視にて確認することができるようになっている。
【００２９】
次に図１により磁気カード１０に対する磁気情報と光情報の読み取り／書き替え装置について述べる。図１に示すように磁気カード１０は矢印Ｌ方向に進行する。この磁気カード１０の磁気ストライプ部１２に対して、読取／書込ヘッド（読取／書込装置）２３により読み取りと書き替えが行われる。この読取／書込ヘッド２３は更に、図示しないホストコンピュータに連結された制御装置２５に接続されている。
【００３０】
また図１に示すように、磁気カード１０の一側には、半導体レーザまたは発光ダイオード等で構成された発光素子（投光器）２０が設けられている。発光素子２０から出射された光ビームは、集束レンズ２１で集束され、光ファイバ１５の直径より小さな径の光ビームとなって各光ファイバ１５内に入射される。また磁気カード１０の他側には、光ファイバ１５から出射した光ビームを受光する受光素子（受光器）２２が設けられている。そしてこれら発光素子２０および受光素子２２は、いずれも制御装置２５に接続されている。
【００３１】
また図１に示すように、磁気カード１０の磁気ストライプ部１２の直上に、カード基材１１、単位磁気部１２ａおよび光ファイバ１５をパンチにより貫通して貫通孔１６を形成するためのパンチ２４が設けられている。なお貫通孔１６を形成することなく、カード基材１１、単位磁気部１２ａおよび光ファイバ１５をパンチ２４によって圧縮変形させて溝部１７を形成してもよい。また貫通孔１６を、溶断により形成してもよい。このように光ファイバ１５に貫通孔１６または溝部１７を形成して光ファイバ１５を破損させることにより、後述のようにこの破損部分において光量を減少させることができる。
【００３２】
次にこのような構成からなる磁気カード１０をパチンコカードとして使用した場合の使用方法について説明する。
【００３３】
まず予め磁気カード１０の磁気ストライプ部１２に対してパチンコ玉５０，０００円分の記録情報としての磁気情報を記録する。この場合、図２に示す磁気ストライプ部１２のうち最左側の単位磁気部１２ａに、５０，０００円分、すなわち１００円を１単位として５００単位分の磁気情報が記録される。
【００３４】
次に磁気カード１０を用いて例えば１００円分のパチンコ玉を購入する場合について述べる。まず磁気カード１０が図１の矢印Ｌ方向に進行し、この間磁気ストライプ部１２の磁気情報が読取／書込ヘッド２３により読み取られ、読取／書込ヘッド２３により読み取られた磁気情報は制御装置２５に送られる。
【００３５】
同時に発光素子２０から投光された光ビームが集束レンズ２１で集束された後、各光ファイバ１５内に入射される。各光ファイバ１５から出射した光ビームは受光素子２２により受光された後、光情報として制御装置２５に送られる。制御装置２５において、すべての光ファイバ１５が連通しているという光情報に基づいて磁気情報をマッチングすることにより、磁気記録が記録された最左側の単位磁気部１２ａが特定され、特定された単位磁気部１２ａからの５００単位の磁気情報が最新磁気情報として定められる。
【００３６】
次に１００円分の（１単位分）のパチンコ玉を購入すると、その後磁気カード１０が矢印Ｌ方向に対して逆方向に戻される。この際、５００−１＝４９９単位の新たな磁気情報が、４９９単位に対応する単位磁気部（図２の左から２番目の単位磁気部）１２ａに記録される。
【００３７】
この間の作用を以下、詳述する。まず予め制御装置２５によってパンチ２４が駆動され、４９９単位に対応する単位磁気部１２ａの１つ左隣りの単位磁気部（図２の最左側の単位磁気部）１２ａが、パンチ２４によってカード基材１１および光ファイバ１５とともに打抜き貫通されて、貫通孔１６が形成される。その後、制御装置２５によって読取／書込ヘッド２３が駆動され、４９９単位に対応する単位磁気部１２ａに対して４９９単位の新たな磁気情報が記録され、このようにして左から２番目の単位磁気部１２ａの書き替えが行われる。
【００３８】
次に磁気カード１０を用いて更に２００円分のパチンコ玉を購入する場合について述べる。前述と同様に磁気カード１０が図１の矢印Ｌ方向に進行し、この間磁気ストライプ部１２の磁気情報が読取／書込ヘッド２３により読み取られ、読取／書込ヘッド２３により読み取られた磁気情報は制御装置２５に送られる。同時に発光素子２０から投光された光ビームが集束レンズ２１で集束された後、各光ファイバ１５内に入射される。各光ファイバ１５から出射した光ビームは、受光素子２２により受光された後、制御装置２５に送られる。
【００３９】
この場合、図２に示す最左側の単位磁気部１２ａに対応する光ファイバ１５は、貫通孔１６によって破断されているので、最左側の単位磁気部１２ａの光ファイバ１５を通る光量がこの破断部分で変化する。制御装置２５は、この光量の変化により最左側の単位磁気部１２ａの光ファイバ１５の破断を検知する。次に制御装置２５において最左側の光ファイバ１５の破断という光情報に基づいて、左から２番目の単位磁気部１２ａを磁気情報が記録された単位磁気部として特定し、特定された単位磁気部１２ａからの４９９単位の磁気情報を最新磁気情報として定める。
【００４０】
次に２００円分（２単位分）のパチンコ玉を購入した場合、磁気カード１０が矢印Ｌ方向に対して逆方向に戻される。
【００４１】
この間、４９９−２＝４９７単位の新たな磁気情報が、４９７単位に対応する単位磁気部（図２の左から４番目の単位磁気部）１２ａに記録される。
【００４２】
この場合、予め制御装置２５によってパンチ２４が駆動され、４９７単位に対応する単位磁気部１２ａの１つ左隣りの単位磁気部（図２の左から３番目の単位磁気部）１２ａが、パンチ２４によってカード基材１１および光ファイバ１５とともに打抜き貫通されて、貫通孔１６が形成される。その後、制御装置２５によって読取／書込ヘッド２３が駆動され、４９７単位に対応する単位磁気部１２ａに対して４９７単位の新たな磁気情報が記録され、このようにして左から４番目の単位磁気部１２ａの書き替えが行われる。
【００４３】
以下、同様にして磁気カード１０の単位磁気部１２ａおよび光ファイバ１５によって磁気情報および光情報を読み取り、次に光ファイバ１５を含むカード基材１１を打抜き貫通させて貫通孔１６を形成するとともに、単位磁気部１２ａに対して新たな磁気情報を書き替えることができる。
【００４４】
なお、上記実施例において、単位磁気部１２ａをカード基材１１および光ファイバ１５とともに打抜き貫通させて貫通孔１６を形成した例を示したが、これに限らず単位磁気部１２ａをカード基材１１および光ファイバ１５とともにパンチ２４によって圧縮変形して溝部１７を形成してもよい。光ファイバ１５が圧縮された場合も、当該光ファイバ１５が破損し、この破損部分を通過する光量が変化し、この光量の変化を制御装置２５によって検知することができる。また、新たな磁気情報に対応する単位磁気部１２ａの左隣りに貫通孔１６を形成した後、単位磁気部１２ａの磁気情報の書き替えを行った例を示したが、磁気情報の書き替えを行った後、貫通孔１６を形成してもよい。
【００４５】
さらに、パンチ２４によって形成される貫通孔１６および溝部１７は丸形（図２）に限らず、五角形でもよく（図５（ａ））、また三角形でもよい（図５（ｂ））。パンチ２４によって五角形または三角形の貫通孔１６を形成した場合は、この貫通孔１６に光ファイバ１５を有する適当な嵌込部材を嵌込んでも、光ファイバ１５の接続は困難となる。
【００４６】
次に磁気カード１０の不正使用について述べる。磁気カード１０に対して不正使用を行う場合は、まず磁気ストライプ部１２上に磁気テープ１９を粘着し、この磁気テープ１９に新たな磁気情報を書き替えることが考えられる（図４（ａ）（ｂ）参照）。本発明においては、磁気ストライプ部１２が単位磁気部１２ａと隙間１２ｂとからなっているので、磁気ストライプ部１２から読み取った磁気情報の電圧波形は、図４（ａ）に示すように単位磁気部１２ａに対応する部分において大きな山形を有し、隙間１２ｂに対応する部分においてホワイトノイズを有する。これに対して磁気ストライプ部１２上に磁気テープ１９を粘着した場合、磁気情報の電圧波形は隙間１２ｂに対応する部分においてホワイトノイズを有するが、単位磁気部１２ａに対応する部分において、なだらかな山形を有し（図４（ｂ））、このなだらかな電圧波形によって不正に粘着された磁気テープ１９の存在を検出することができる。また、カード基材１１上の全面に着色保護層１８を設けた場合は、この着色保護層１８により隙間１２ｂの場所を隠すことができる。
【００４７】
次に磁気カード１０に対して不正使用を行う場合、周縁部分１４の内側であって、貫通孔１６または溝部１７を含むカード基材１１の一部を打抜き、この打抜いた部分に光ファイバ１５を含む嵌込部材を嵌込むことも考えられる。しかしながら、カード基材１１の一部を打抜いた場合、カード基材１１を構成する一対の基板１１ａ，１１ｂは単に真空状態で圧接されているだけなので、一対の基板１１ａ，１１ｂおよび一対の基板１１ａ，１１ｂ間の光ファイバ１５は分離してしまい、復帰することはむずかしい。さらに光ファイバ１５は両端部１５ａ，１５ｂ以外の部分１５ｃが曲線状にだ行しているため、新たな嵌込部材の光ファイバ１５を、もとの磁気カード１０の光ファイバに接続することは非常に困難である。
【００４８】
以上のように本実施の形態によれば、磁気カード１０の改ざんおよび不正使用を効果的に防止することができる。
【００４９】
第２の実施の形態
以下、図７により本発明の第２の実施の形態について説明する。
図７に示す第２の実施の形態による磁気カード１０は、磁気ストライプ部１２の構造が異なるのみであり、他は図１乃至図６に示す第１の実施の形態と略同一である。図７に示す磁気カード１０において、図１乃至図６に示す第１の実施の形態と同一部分には同一符号を付して詳細な説明は省略する。
【００５０】
図７において、磁気カード１０は３０，０００円のパチンコカードとなっている。この場合、１００円を１単位とすると、３０，０００円は３００単位で表わされる。この３００単位をビット換算すると、２５６（９ビット）＜３００＜５１２（１０ビット）となるので、各単位磁気部１２ａが９ビットの記録容量を有すれば、各単位磁気部１２ａにおいて３００単位の記録が可能となる。
【００５１】
本実施例においては、各単位磁気部１２ａに磁気情報の初めと終りを示すスタートビットとストップビットが設けられており、このため各単位磁気部１２ａは１１ビットの記録容量を有している。また本実施の形態において、各単位磁気部１２ａは１５単位毎に設けられており、このため１つの単位磁気部１２ａにより１５単位を管理している。すなわち、単位磁気部１２ａは、３００／１５＝２０個設けられている。
【００５２】
さらに光ファイバ１５が図７に示すように、２０個の単位磁気部１２ａ毎に１本ずつ設けられるとともに、図７の最左側の単位磁気部１２ａの左隣りに１本設けられ、合計２１本の光ファイバ１５が設けられている。
【００５３】
使用に際しては、まず磁気カード１０の最左側の単位磁気部１２ａに３００単位（３０，０００円）の磁気情報が記録される。磁気カード１０が使用され、例えば残りが２８６〜２９９単位の場合は、最左側の単位磁気部１２ａに２８６〜２９９単位のいずれかの磁気情報が記録される。
【００５４】
更に磁気カード１０が使用され、残りが２４１〜２５５単位となると、左から４番目の単位磁気部１２ａに磁気情報が記録され、１つ左隣りの単位磁気部１２ａが光ファイバ１５とともに破断される。
【００５５】
変形例
次に図８および図９により、本発明の変形例について説明する。
【００５６】
図１乃至図７に示す各実施の形態において、光導波路として光ファイバ１１を用いた例を示したが、これに限らず図８に示すように光導波路として光路溝２８を用いてもよい。すなわち、図８に示すように磁気カード１０は矩形状のカード基材１１を備え、このカード基材１１は一対の基板１１ａ，１１ｂからなっている。このうち一方の基板１１ｂには、光ビームが通過する光路溝２８が形成され、一方の基板１１ｂの光路溝２８は他方の基板１１ａにより覆われている。
【００５７】
図８において、光路溝２８の一端から入射する光ビームは、光路溝２８を通って他端へ達する。また光路溝２８に貫通孔１６または溝部１７を形成して光路溝２８を破損した場合、光路溝２８を通過する光ビームの光量が減少する。
【００５８】
また、図１乃至図８に示す各実施の形態において、情報記録カードとして磁気カード１０を用いた例を示したが、これに限らず図９に示すように情報記録カードとしてＩＣカード３０を用いてもよい。すなわち、図９に示すように、ＩＣカード３０は矩形状のカード基材１１と、このカード基材１１に埋込まれたＩＣモジュール３１とを備え、カード基材１１に光ファイバ１５または光路溝２８が形成されている。
【００５９】
ＩＣカード３０のＩＣモジュール３１は、磁気カード１０の磁気ストライプ部１２と同様、情報記録部として機能し記録情報を読み取り、かつ書き替えることができる。
【００６０】
第３の実施の形態
次に図１０および図１１により、本発明の第３の実施の形態について説明する。
図１０および図１１に示す第３の実施の形態による磁気カード１０は、複数の光ファイバ１５を最高使用額決定領域とデータ領域とに区画したものであり、他は図１乃至図６に示す第１の実施の形態および図７に示す第２の実施の形態と略同一である。
【００６１】
図１０および図１１において、図１乃至図６に示す第１の実施の形態および図７に示す第２の実施の形態と同一部分には同一符号を符して詳細な説明を省略する。
【００６２】
図１０に示すように、磁気カード１０は周縁部１４を有するカード基材１１と、複数の単位磁気部１２ａを有する磁気ストライプ部１２と、各単位磁気部１２ａに対応して設けられた光ファイバ１５とを備えている。
このうち、複数の光ファイバ１５は磁気カードの最高使用額を定める最高使用額決定領域４０と、磁気ストライプ部１２の単位磁気部１２ａに記録された記録情報をマッチングするデータ領域４１とに区画されている。なお、最高使用額決定領域４０内において、単位磁気部１２ａは必ずしも必要はなく、この最高使用額決定領域４０内に光ファイバ１５のみを設けても良い。
【００６３】
使用に際しては、図１０に示すようにまず複数の光ファイバ１５の最高使用額決定領域４０に最高使用額の光情報を記録する。この場合、最高使用額決定領域３０は６本の光ファイバ１５からなるので、この６本の光ファイバ１５のいずれかを破断することにより、最高で２6 ＝６４の最高使用額を定める光情報を記録することができる。
【００６４】
例えば６本の光ファイバ１５により、“１”の光情報を記録した場合、
基準単位“１”＋光情報“１”＝“２”が記録されたことになり、単位最高使用額を５００円とすると、最高使用額は５００円×２＝１０００円となる。
また６本の光ファイバ１５により“９”の光情報を記録した場合、
基準単位“１”＋光情報“９”＝“１０”が記録されたことになり、
最高使用額は５００円×１０＝５０００円となる。
また６本の光ファイバ１５により“６４”の光情報を記録した場合、
基準単位“１”＋光情報“６４”＝“６５”が記録されたことになり、
最高使用額は５００円×６５＝３２，５００円となる。
【００６５】
本実施の形態においては、例えば６本の光ファイバ１５により、“１”の光情報を記録し、最高使用額を１０００円と定める。
ここで磁気カード１０の単位磁気部１２ａは、スタートビットとストップビットを含めて１１ビットの記録容量を有している。このため単位磁気部１２ａは、情報記録用として９ビットを用いることができ、最高５１２単位まで記録することができる。従って１００円を１単位とすると、最高５１，２００円まで記録することができる。
【００６６】
また、磁気カード１０の単位磁気部１２ａは単位最高使用額（５００円）に合わせて５単位（５００円）毎に設けられており、このためデータ領域４１内の単位磁気部１２の数（光ファイバ１５の本料）は、最高使用額決定領域３０の光情報の最大値“６４”に対応させて、基準単位“１”＋光情報“６４”＝６５となっている。
【００６７】
上述のように最高使用額決定領域４０の光ファイバ１５を破断することにより最高使用額を１０００円と定めた後、図１０においてデータ領域４１内の単位磁気部１２ａが、左から２つ残してすべて破断され、不正に磁気情報を記録することが防止される。なお、データ領域４１内の単位磁気部１２ａを破断することなく、すべて残しておいてもよい。同時にデータ領域４１内の最左側の単位磁気部１２ａに１０単位（１０００円）の磁気情報が記録される。
【００６８】
磁気カード１０が５００円分使用され、例えば残りが５単位（５００円）の場合は、データ領域４１内の左から２番目の単位磁気部１２ａに磁気情報５単位が記録され、左隣りの単位磁気部１２ａ（データ領域４１内の最左側の単位磁気部１２ａ）が破断される。
【００６９】
この間の使用をより詳述する。磁気カード１０が使用される際、磁気カード１０の単位磁気部１２ａからなる磁気ストライプ部１２に記録された磁気情報が読取／書込ヘッド２３（図１参照）により読み取られ、読み取られた磁気情報は制御装置２５に送られる。
同時に発光素子２０から投光された光ビームが集束レンズ２１（図１参照）で集束された後、各光ファイバ１５内に入射される。各光ファイバ１５から出射した光ビームは受光素子２２により受光された後、光情報として制御装置２５に送られる。
【００７０】
制御装置２５において、光情報のうち、データ領域４１の光ファイバ１５からの光情報に基づいて記録情報が記録された単位磁気部１２ａが特定され、この特定された単位磁気部１２ａの記録情報が最新記録情報として定められる。
【００７１】
例えば、データ領域４１内の左から２番目の単位磁気部１２ａに５００円分の情報が記録され、左隣りの単位磁気部１２ａが破断されている場合は、データ領域４１の光ファイバ１５からの光情報に基づいて、データ領域４１内の左から２番目の単位磁気部１２ａが特定され、この特定された単位磁気部１２ａの記録情報（５００円）が最新記録情報として定められる。その後使用された残りの残金が、読取／書込ヘッド２３により書き替えられる。
【００７２】
この間、図１１に示すように読取／書込ヘッド２３からの磁気情報は制御装置２５内においてＡ／Ｄ変換器３５から比較部３６へ送られる。ここで図１１は本実施の形態で用いられる読取システムを示す図である。図１１において、受光素子２２からの光情報のうち、最高使用額決定領域４０の光ファイバ１５からの光情報は、制御装置２５内の最高使用額演算部３８へ入力される。
【００７３】
制御装置２５は、単位最高使用額、例えば５００円を記憶したＲＯＭ３７を有しており、このＲＯＭ３７から単位最高使用額“５００円”が最高使用額演算部３８へ入力される。
【００７４】
最高使用額演算部３８では、例えば最高使用額決定領域４０の光ファイバ１５から“１”の光情報が入力されると、
基準単位“１”＋光情報“１”＝２が求められ、さらにＲＯＭ３７からの単位最高使用額５００円に基づいて、
５００円×２＝１０００円の最高使用額が求められる。
【００７５】
次に最高使用額演算部３８で求めた最高使用額１，０００円と、読取／書込ヘッド２３からの磁気情報とが比較部３６で比較される。この場合、読取／書込ヘッド２３からの磁気情報は常に１，０００円以内となっているはずであるが、単位磁気部１２に対して情報の改ざんが行われ、例えば１０，０００円あるいは２０，０００円という高額の磁気情報が書き替えられていても、比較部３６によりこの情報の改ざんを確実に検出することができる。
比較部３６からの信号はホストコンピュータに送られ、情報改ざんの事実が伝えられる。
【００７６】
【発明の効果】
以上のように、本発明によればカードおよび磁気カードに対する改ざんおよび不正使用を効果的に防止することができるので、カードおよび磁気カードを例えばパチンコカードのようなプリペイドカードとして使用した場合、カード発行元の損害を未然に防ぐことができる。
【図面の簡単な説明】
【図１】本発明の第１の実施の形態を示す図。
【図２】本発明による磁気カードの平面図。
【図３】本発明による磁気カードの側断面図。
【図４】磁気ストライプ部に磁気テープを貼着した場合における磁気情報の電圧波形を示す図。
【図５】磁気ストライプ部に形成された貫通孔および溝部の変形例を示す図。
【図６】単位磁気部のビット数を示す図。
【図７】本発明の第２の実施の形態を示す平面図。
【図８】本発明の変形例を示す図。
【図９】本発明の他の変形例を示す図。
【図１０】本発明の第３の実施の形態を示す平面図。
【図１１】第３の実施の形態に用いられる読取システムを示す図。
【符号の説明】
１０  磁気カード
１１  カード基材
１１ａ，１１ｂ  基板
１２  磁気ストライプ部
１２ａ  単位磁気部
１２ｂ  間隙
１４  周縁部
１５  光ファイバ
１６  貫通孔
１７  溝部
２０  発光素子
２２  受光素子
２３  読取／書込ヘッド
２４  パンチ
２５  制御装置
２８  光路溝
３０  ＩＣカード
３１  ＩＣモジュール
３６  比較部
３７  ＲＯＭ
３８  最高使用額演算部
４０  最高使用額決定領域
４１  データ領域
【図１】
0003761629.tif 000002
【図２】
0003761629.tif 000003
【図３】
0003761629.tif 000004
【図４】
0003761629.tif 000005
【図５】
0003761629.tif 000006
【図６】
0003761629.tif 000007
【図７】
0003761629.tif 000008
【図８】
0003761629.tif 000009
【図９】
0003761629.tif 000010
【図１０】
0003761629.tif 000011
【図１１】
0003761629.tif 000012